(57)【要約】【課題】  畜産動物の個体情報を有効に活用して、飼育領域全体の状況を把握でき、経営方針の参考資料をも入手することができる畜産動物管理システムを提供する。【解決手段】  携帯用情報端末装置２１と、パーソナルコンピュータ２３と、から構成される情報端末装置２と、ウェブサーバー３１と、アプリケーションサーバー３２と、データベースサーバー３３と、から構成される中央管理装置３と、これらを接続するネットワーク４と、から畜産動物管理システム１を構成する。前記ウェブサーバー３１が保有するウェブサイトは、時系列に沿って、畜産動物に関して実施した活動及びコメントを入力及び出力することができると共に、畜産動物の頭数の推移、その内訳、及び経営方針に参考となるデータを出力することもできる。【選択図】          図１
2015167529.tif 000002
【特許請求の範囲】
【請求項１】
少なくとも、ウェブブラウザを保有する携帯用情報端末装置とパーソナルコンピュータとから構成される情報端末装置と、
畜産動物に関する個体情報を入力及び出力するウェブサイトを保有するウェブサーバーと、前記個体情報と飼育管理者、スタッフ、オーナー又は獣医の作業情報及びコメントを関連付けるアプリケーションサーバーと、畜産動物に関する個体情報、前記作業情報及びコメントを格納するデータベースサーバーと、から構成される中央管理装置と、
前記情報端末装置と前記中央管理装置とを接続するネットワークと、
から構成されたことを特徴とする畜産動物管理システム。
【請求項２】
前記ウェブサイトは、時系列に沿って、飼育管理者、スタッフ、オーナー又は獣医が実施した活動及びコメントを入力及び出力できることを特徴とする請求項１に記載の畜産動物管理システム。
【請求項３】
前記ウェブサイトは、飼育している畜産動物の頭数の推移、その内訳、及び経営方針に参考となるデータを出力できることを特徴とする請求項１又は２に記載の畜産動物管理システム。
【請求項４】
前記ウェブサイトは、「活動種類選択」画面を表示することができ、これによって、記録する活動の種類を選択することができることを特徴とする請求項１乃至３の何れかに記載の畜産動物管理システム。
【請求項５】
前記「活動種類選択」画面は、活動の種類によって異なる図案及び色彩から成るアイコンを有することを特徴とする請求項１乃至４の何れかに記載の畜産動物管理システム。
【請求項６】
前記畜産動物は、牛であることを特徴とする請求項１乃至５の何れかに記載の畜産動物管理システム。
【発明の詳細な説明】
【技術分野】
【０００１】
本発明は、牛、豚、羊、鶏等の畜産動物を個体として管理するのに好適な畜産動物管理システムに関する。
【背景技術】
【０００２】
近年、口蹄疫、海綿状脳症（ＢＳＥ）、豚コレラ、鳥インフルエンザ等の伝染性疾病が頻発していることから、畜産動物の飼育管理が益々重要となってきた。
又、消費者が食肉の品質を重要視するため、食肉となる畜産動物の品種、誕生日、飼育地等の畜産動物に関する個体情報を提供することも必要になってきた。
【０００３】
このような畜産動物の飼育管理を効果的に実施し、畜産動物に関する個体情報を効率的に提供する手段として、畜産動物の飼育管理者が保有する情報端末装置と、畜舎内又は牧場内で飼育する畜産動物全ての個体情報を蓄積する中央管理装置と、を通信網を介して接続する畜産動物管理システムが提案されている（特許文献１乃至４を参照）。
【先行技術文献】
【特許文献】
【０００４】
【特許文献１】特開２０１３−２４７９４１号公報
【特許文献２】特開２００５−３０４３０７号公報
【特許文献３】特開２００５−１７４１１０号公報
【特許文献４】特開２００４−３０２５６５号公報
【発明の概要】
【発明が解決しようとする課題】
【０００５】
しかし、上記特許文献１乃至４に開示される畜産動物管理システムは、情報端末装置と中央管理装置との間で畜産動物の基本的な個体情報を送信及び受信すると共に、中央管理装置内にそれら個体情報を蓄積保管するものに過ぎなかった。
【０００６】
それ故、飼育管理者及びスタッフが飼育現場で直ちに個体情報を中央管理装置に送信及び受信することはできず、オーナー、獣医等が活動状況、コメント等を中央管理装置に送信することもできなかった。
【０００７】
又、中央管理装置内には畜産動物全数の個体情報が蓄積されているにも係わらず、個体情報そのものを閲覧できるに過ぎず、飼育管理者が飼育領域全体の状況を把握したり、オーナーが経営方針の参考資料を入手することはできなかった。
【０００８】
本発明は、かかる問題点に鑑みて為されたものであって、飼育管理者及びスタッフが飼育現場で直ちに個体情報を中央管理装置に送信及び受信することができ、オーナー、獣医等が活動状況、コメント等を中央管理装置に送信することもできる畜産動物管理システムを提供することを目的とする。
【０００９】
本発明は、又、個体情報そのものを閲覧できるだけでなく、中央管理装置内に蓄積された畜産動物全数の個体情報を有効に活用して、飼育管理者が飼育領域全体の状況を把握できるようにすると共に、オーナーが経営方針の参考資料を入手することができる畜産動物管理システムを提供することを目的とする。
【課題を解決するための手段】
【００１０】
上記目的を達成するために、本発明の畜産動物管理システムは、少なくとも、ウェブブラウザを保有する携帯用情報端末装置とパーソナルコンピュータとから構成される情報端末装置と、畜産動物に関する個体情報を入力及び出力するウェブサイトを保有するウェブサーバーと、前記個体情報と飼育管理者、スタッフ、オーナー又は獣医の作業情報及びコメントを関連付けるアプリケーションサーバーと、畜産動物に関する個体情報、前記作業情報及びコメントを格納するデータベースサーバーと、から構成される中央管理装置と、前記情報端末装置と前記中央管理装置とを接続するネットワークと、から構成されたことを特徴とする。
【００１１】
ここで、前記ウェブサイトは、時系列に沿って、飼育管理者、スタッフ、オーナー又は獣医が実施した活動及びコメントを入力及び出力できることを特徴とする。
【００１２】
又、前記ウェブサイトは、飼育している畜産動物の頭数の推移、その内訳、及び経営方針に参考となるデータを出力できることを特徴とする。
【００１３】
さらに、前記ウェブサイトは、「活動種類選択」画面を表示することができ、これによって、記録する活動の種類を選択することができることを特徴とする。
【００１４】
ここで、前記「活動種類選択」画面は、活動の種類によって異なる図案及び色彩から成るアイコンを有することが好ましい。
【００１５】
特に葉、前記畜産動物は、牛であることが好ましい。
【発明の効果】
【００１６】
本発明の畜産動物管理システムによれば、飼育管理者及びスタッフが飼育現場で直ちに個体情報を中央管理装置に送信及び受信することができ、オーナー、獣医等が活動状況、コメント等を中央管理装置に送信することもできる。
【００１７】
又、個体情報そのものを閲覧できるだけでなく、中央管理装置内に蓄積された畜産動物全数の個体情報を有効に活用して、飼育管理者が飼育領域全体の状況を把握できるようにすると共に、オーナーが経営方針の参考資料を入手することができる。
【図面の簡単な説明】
【００１８】
【図１】本発明の畜産動物管理システムの概略構成図である。
【図２】牛の耳に耳標を装着した状態を示す説明図である。
【図３】図１の携帯用情報端末装置の画面表示例である。
【図４】図１の携帯用情報端末装置の画面表示例である。
【図５】図１の携帯用情報端末装置の画面表示例である。
【図６】図１の携帯用情報端末装置の画面表示例である。
【図７】図１の携帯用情報端末装置の画面表示例である。
【図８】図１の携帯用情報端末装置の画面表示例である。
【図９】図１の携帯用情報端末装置の画面表示例である。
【図１０】図１の携帯用情報端末装置の画面表示例である。
【図１１】図１の携帯用情報端末装置の画面表示例である。
【図１２】図１の携帯用情報端末装置の画面表示例である。
【図１３】図１の携帯用情報端末装置の画面表示例である。
【図１４】図１の携帯用情報端末装置の画面表示例である。
【図１５】図１の携帯用情報端末装置の画面表示例である。
【図１６】図１の携帯用情報端末装置の画面表示例である。
【図１７】図１の携帯用情報端末装置の画面表示例である。
【図１８】図１の携帯用情報端末装置の画面表示例である。
【図１９】図１の携帯用情報端末装置の画面表示例である。
【図２０】図１の携帯用情報端末装置の画面表示例である。
【図２１】図１の携帯用情報端末装置の画面表示例である。
【図２２】図１の携帯用情報端末装置の画面表示例である。
【図２３】図１のパーソナルコンピュータの画面表示例である。
【図２４】図１のパーソナルコンピュータの画面表示例である。
【図２５】図１のパーソナルコンピュータの画面表示例である。
【図２６】図１のパーソナルコンピュータの画面表示例である。
【図２７】図１のパーソナルコンピュータの画面表示例である。
【図２８】図１のパーソナルコンピュータの画面表示例である。
【図２９】図１のパーソナルコンピュータの画面表示例である。
【図３０】図１のパーソナルコンピュータの画面表示例である。
【図３１】図１のパーソナルコンピュータの画面表示例である。
【図３２】図１のパーソナルコンピュータの画面表示例である。
【発明を実施するための形態】
【００１９】
以下、本発明の畜産動物管理システムの好適な実施形態について、図面を参照して詳細に説明する。
【００２０】
本発明の畜産動物管理システム１は、図１に示すように、情報端末装置２と、中央管理装置３と、これらを接続するネットワーク４と、から構成される。
【００２１】
情報端末装置２は、スマートフォン等の携帯用情報端末装置２１、タブレットコンピュータ２２、パーソナルコンピュータ２３等から構成される。
【００２２】
中央管理装置３は、ウェブサーバー３１と、アプリケーションサーバー３２と、データベースサーバー３３とから構成される。
【００２３】
ネットワーク４は、ローカルエリアネットワーク（ＬＡＮ）、ワイドエリアネットワーク（ＷＡＮ）何れでもよいが、通常、インターネット４１とするのが好ましい。
【００２４】
本発明の畜産動物管理システム１では、中央管理装置３にアプリケーションサーバー３２を設置してあるから、情報端末装置２はウェブブラウザ等のみを保有するだけで、クラウドコンピューティングを実施できるようになっている。
【００２５】
以下、本発明の畜産動物管理システム１を牛の飼育における個体管理に適用する場合について説明する。
牛の個体管理に関しては、最終製品である牛肉、牛乳等の安全性を確保するため、牛の誕生から飼育、屠殺、解体、販売に至るまでの間でトレーサビリティを実施することになっている。
そのため、図２に示すように、誕生とともに牛５１の両耳５１ａに個体識別標識である耳標５２を装着し、この耳標５２の表面に記載された１０桁の個体識別番号によって個体管理を実施することになっている。
【００２６】
第１に、情報端末装置２としてスマートフォン等の携帯用情報端末装置２１を使用する場合の操作及び機能について、図３乃至２２を参照して説明する。
【００２７】
携帯用情報端末装置２１の場合には、保有するウェブブラウザによって中央管理装置３のウェブサーバー３１にアクセスし、畜産動物管理サイトを閲覧しながら、アプリケーションサーバー３２を作動させて、種々機能を実行させることができる。
【００２８】
又、予め携帯用情報端末装置２１内に専用アプリケーションをインストールしておき、
この専用アプリケーションによって中央管理装置３のウェブサーバー３１にアクセスし、畜産動物管理サイトを閲覧しながら、種々機能を実行させることもできる。
【００２９】
先ず、飼育管理者、スタッフ、オーナー、獣医等は、携帯用情報端末装置２１の電源をＯＮにし、オペレーションシステム（ＯＳ）を起動させる。
すると、図３に示すように、ディスプレイに「サインイン」画面が表示されるので、ユーザー名、パスワードを入力し、「ログイン」をタップする。
【００３０】
すると、図４に示すように、ディスプレイに「ファームボード」領域が表示され、「ストーリー」画面が表示される。
この画面では、飼育管理者、スタッフ等が既に実施した活動、入力したコメント等の情報が表示され、それら情報を知ることができる。
【００３１】
ここで、「状況」タブをタップすると、図５及び６に示すように、ディスプレイに「状況」画面が表示される。
この画面では、飼育している牛の全前頭数に関して、本日の作業予定、昨日の状況等に関する情報が表示され、それら情報を知ることができる。
【００３２】
ここで、「レポート」タブをタップすると、図７に示すように、ディスプレイに「レポート」画面が表示される。
この画面では、飼育している牛の頭数の推移、その内訳、経営方針に関する参考データ等が表示され、それら情報を入手することができ、「レポート」機能として利用することができる。
【００３３】
次に、「＋」タブをタップすると、図８及び９に示すように、ディスプレイに「ノート」領域が表示され、「今日のノート」画面が表示される。
この画面では、飼育管理者、スタッフ等が既に実施した活動、入力したコメント等の情報が表示され、それらを知ることができる。
又、自己の今日の活動を記録することができ、「ノート」機能として利用することができる。
【００３４】
ここで、画面を上方にフリックさせて、「活動を追加する」をタップすると、図１０に示すように、ディスプレイに「活動種類選択」画面が表示される。
この画面では、「記録・メモ」、「疾病・傷害」、「治療・投薬」等の記録する活動の種類を選択することができる。
ここで、これら活動の種類を選択するためのアイコンは、異なる図案及び色彩から成るものであるのが好ましい。例えば、「記録・メモ」アイコンは、鉛筆の図案及び青色から成るものとし、「疾病・傷害」アイコンは、病院の図案及び赤色から成るものとし、「治療・投薬」アイコンは、フラスコの図案及び水色から成るものとする等、視覚によって理解し易いものを採用するのが好ましい。
【００３５】
ここで、「疾病・傷害」アイコンをタップすると、図１１に示すように、ディスプレイに「疾病の登録」画面が、小さなアイコンと共に表示される。
この画面では、図１２乃至１５に示すように、順次、「耳標番号」に対象となる牛に装着した耳標番号を、「疾病名」に罹った疾病名を、「発生日」に疾病の発生が認められた日を、「メモ」に適宜メモとなるコメントを入力することができる。又、当該牛の写真を撮影しておけば、その写真も添付することができる。
以上の必要事項を入力等したら、「登録する」ボタンをタップして、記録する活動及びコメントを登録することができる。
【００３６】
次に、「＋」タブをタップすると、図１６に示すように、ディスプレイには「個体リスト」領域が表示され、「耳標番号の検索」画面が表示される。
この画面では、番号入力欄に適宜牛の「耳標番号」を入力することによって、入力された番号に対応する個体リストを表示することができる。
【００３７】
ここで、耳標番号「５３３５」を入力し、「＋」タブをタップすると、図１７に示すように、ディスプレイに「個体情報」領域が表示され、「個体情報」画面が表示される。
ここで、「データ」タブをタップすると、図１７乃至１９に示すように、ディスプレイには、耳標番号、タイプ、ＩＤ、名前、種別、性別、年齢、月齢、体重、牛群等の「基本的個体データ」が表示される。又、「重要指針」、「疾病一覧」「繁殖情報」、「出生情報」等が表示される。
【００３８】
ここで、「繁殖」タブをタップすると、図２０に示すように、ディスプレイには「種付履歴」、「出産履歴」等の個体情報が表示される。
【００３９】
さらに、「疾病」タブをタップすると、図２１に示すように、ディスプレイには「疾病履歴」、「投薬履歴」等の個体情報が表示される。
【００４０】
そして、「ストーリー」タブをタップすると、図２２に示すように、ディスプレイには「ストーリー」画面が表示される。
この画面では、時系列に沿って、当該牛に関する活動内容、コメント等を表示することができ、これまでの履歴を知ることができ、「ストーリー」機能として利用することができる。
そして、「タッチして共有」ボタンをタップすると、「ノート」に記録した事項が中央管理装置３のウェブサーバー３１を介してデータベースサーバー３３へと転送され、関係者間で情報を共有することができる。
【００４１】
第２に、情報端末装置２としてパーソナルコンピュータ２３を使用する場合の操作及び機能について、図２３乃至３２を参照して説明する。
【００４２】
パーソナルコンピュータ２３の場合には、保有するウェブブラウザによって中央管理装置３のウェブサーバー３１にアクセスし、畜産動物管理サイトを閲覧しながら、アプリケーションサーバー３２を作動させて、種々機能を実行させることができる。
【００４３】
先ず、飼育管理者、スタッフ、オーナー、獣医等は、パーソナルコンピュータ２３の電源をＯＮにし、オペレーションシステム（ＯＳ）を起動させる。
すると、図２３に示すように、ディスプレイに「サインイン」画面が表示されるので、ユーザー名、パスワードを入力し、「ログイン」をクリックする。
【００４４】
すると、図２４及び２５に示すように、ディスプレイに「ファームボード」領域が表示され、「ストーリー」画面が表示される。
この画面では、飼育管理者、スタッフ等が既に実施した活動、入力したコメント等の情報が表示され、それら情報を知ることができる。
【００４５】
この画面では、又、飼育している牛の全頭数に関して、本日の作業予定、昨日の状況等に関する情報も表示され、それら情報をも知ることができる。
さらに、飼育している牛の頭数の推移、その内訳がグラフ表示され、経営方針に関する参考データも表示され、それら情報を知ることができる。
【００４６】
次に、「＋」タブをクリックすると、図２６に示すように、ディスプレイに「ノート」領域が表示され、「今日のノート」画面が表示される。
この画面では、飼育管理者、スタッフ等が既に実施した活動、入力したコメント等の情報が表示され、それらを知ることができる。
又、自己の今日の活動を記録することができ、「ノート」機能として利用することができる。
【００４７】
ここで、画面を上方にスクロールさせて、「活動を追加する」をクリックすると、ディスプレイに「活動種類選択」画面が表示される。
この画面では、「記録・メモ」、「疾病・傷害」、「治療・投薬」等の記録する活動の種類を選択することができる。
これら活動の種類を選択するためのアイコンは、上記に説明した如く、異なる図案及び色彩から成るものであり、視覚によって理解し易いものを採用するのが好ましい。
【００４８】
ここで、「疾病・傷害」アイコンをクリックすると、図２７に示すように、ディスプレイに「疾病の登録」画面が、小さなアイコンと共に表示される。
この画面では、順次、「耳標番号」、「疾病名」、「発生日」、「メモ」等を入力することができ、当該牛の写真も添付することができる。
以上の必要事項を入力等したら、「登録する」ボタンをクリックして、記録する活動及びコメントを登録することができる。
【００４９】
次に、「＋」タブをクリックすると、図２８に示すように、ディスプレイに「個体リスト」領域が表示され、適宜選択された個体リストが表示される。
ここで、「全個体リスト」、「繁殖牛リスト」、「育成牛リスト」等を選択することによって、該当する個体リストを表示することができる。
【００５０】
又、この画面において、番号入力欄に適宜牛の「耳標番号」を入力すれば、入力された番号に対応する個体情報を表示することができる。
【００５１】
ここで、耳標番号「５３３５」を入力し、「＋」タブをクリックすると、図２９に示すように、ディスプレイに「個体情報」領域が表示され、「個体情報」画面が表示される。
ここで、「データ」タブをクリックすると、図２９及び３０に示すように、ディスプレイには、耳標番号、タイプ、ＩＤ、名前、種別、性別、年齢、月齢、体重、牛群等の「基本的個体データ」が表示される。又、「重要指針」、「疾病一覧」「繁殖情報」、「出生情報」、「ストーリー」等が表示される。
【００５２】
ここで、「繁殖」タブをクリックすると、図３１に示すように、ディスプレイには「種付履歴」、「出産履歴」等の個体情報が表示される。
【００５３】
さらに、「疾病」タブをクリックすると、図３２に示すように、ディスプレイには「疾病履歴」、「投薬履歴」等の個体情報が表示される。
【００５４】
以上、情報端末装置２としてスマートフォン等の携帯用情報端末装置２１を使用する場合及びパーソナルコンピュータ２３を使用する場合について、その操作及び機能について説明したが、タブレットコンピュータ２２を使用する場合も略同様である。
【００５５】
以上説明したように、本発明の畜産動物管理システム１によれば、飼育管理者及びスタッフは、飼育現場に携帯用情報端末装置２１、タブレットコンピュータ２２を携帯することによって、飼育現場で直ちに畜産動物の個体情報を中央管理装置３に送信及び受信することができる。
【００５６】
又、飼育管理者、スタッフ、オーナー、獣医等は、飼育現場以外においても、携帯用情報端末装置２１、タブレットコンピュータ２２を携帯することによって、中央管理装置３から飼育する畜産動物に関する活動状況、コメント等を受信すると共に、中央管理装置３に送信することもできる。
【００５７】
さらに、本発明の畜産動物管理システム１によれば、飼育する畜産動物の個体情報のみを閲覧できるだけでなく、中央管理装置３内に蓄積された畜産動物全頭数の個体情報に基づいて、飼育管理者が飼育領域全体の状況を把握できると共に、オーナーが経営方針の参考資料を入手することができ、極めて有用である。
【符号の説明】
【００５８】
１  畜産動物管理システム
２  情報端末装置
２１  携帯用情報端末装置
２２  タブレットコンピュータ
２３  パーソナルコンピュータ
３  中央管理装置
３１  ウェブサーバー
３２  アプリケーションサーバー
３３  データベースサーバー
４  ネットワーク
４１  インターネット
５１  牛
５２  耳標
【図１】
2015167529.tif 000003
【図２】
2015167529.tif 000004
【図３】
2015167529.tif 000005
【図４】
2015167529.tif 000006
【図５】
2015167529.tif 000007
【図６】
2015167529.tif 000008
【図７】
2015167529.tif 000009
【図８】
2015167529.tif 000010
【図９】
2015167529.tif 000011
【図１０】
2015167529.tif 000012
【図１１】
2015167529.tif 000013
【図１２】
2015167529.tif 000014
【図１３】
2015167529.tif 000015
【図１４】
2015167529.tif 000016
【図１５】
2015167529.tif 000017
【図１６】
2015167529.tif 000018
【図１７】
2015167529.tif 000019
【図１８】
2015167529.tif 000020
【図１９】
2015167529.tif 000021
【図２０】
2015167529.tif 000022
【図２１】
2015167529.tif 000023
【図２２】
2015167529.tif 000024
【図２３】
2015167529.tif 000025
【図２４】
2015167529.tif 000026
【図２５】
2015167529.tif 000027
【図２６】
2015167529.tif 000028
【図２７】
2015167529.tif 000029
【図２８】
2015167529.tif 000030
【図２９】
2015167529.tif 000031
【図３０】
2015167529.tif 000032
【図３１】
2015167529.tif 000033
【図３２】
2015167529.tif 000034